(57)【特許請求の範囲】
【請求項１】
帯状部材をまき回して長手縁部でこれらを結合して、着用者の頭部上方を覆うトップクラウンと、該トップクラウンに結合するとともに着用者の頭部を周回するサイドクラウンと、該サイドクラウンに結合するプリムとを形成してなる帽子であって、
前記帯状部材は、少なくとも前記サイドクラウンの一部を構成する目の詰まった第一帯状部材と、長手方向に複数の開口を有するとともに該サイドクラウンの残部を構成する第二帯状部材と、を含み、
前記第二帯状部材は、横断面形状が扁平状になる紐材を編んで前記開口を形成してなり、
前記第二帯状部材は、該第二帯状部材における両側の長手縁部となる右側縁部及び左側縁部と、前記開口が長手方向に並ぶ中間部とを有し、
編まれた前記紐材は、
前記右側縁部に向かって斜めに延在し該右側縁部で折り返された後に前記左側縁部に向かって斜めに延在する第一部分と、
前記第一部分に連結するとともに前記左側縁部に向かって斜めに延在し該左側縁部で折り返された後に前記中間部に向かって斜めに延在する第二部分と、
前記第二部分に連結するとともに前記中間部に向かって斜めに延在し該中間部の左側端部で折り返された後に前記左側縁部に向かって斜めに延在する第三部分と、
前記第三部分に連結するとともに前記左側縁部に向かって斜めに延在し該左側縁部で折り返された後に前記右側縁部に向かって斜めに延在する第四部分と、
前記第四部分に連結するとともに前記右側縁部に向かって斜めに延在し該右側縁部で折り返された後に前記中間部に向かって斜めに延在する第五部分と、
前記第五部分に連結するとともに前記中間部に向かって延在し該中間部の右側端部で折り返された後に前記右側縁部に向かって斜めに延在する第六部分と、を備える帽子。
【請求項２】
前記サイドクラウンは、横断面形状が楕円状である請求項１に記載の帽子。
【請求項３】
着用者の頭部に当接して前記トップクラウンと該頭部との間に隙間を区画する内側部材を備え、該内側部材は、前記サイドクラウン又は前記プリムに対して着脱可能に保持される請求項１又は２に記載の帽子。
【発明の詳細な説明】
【技術分野】
【０００１】
本発明は頭部に被る帽子に関する。
【背景技術】
【０００２】
頭部に被る帽子に関し、例えば特許文献１には、帯状になる部材（ブレード）を螺旋状に巻回しながら隣り合うブレード間を縫合糸で縫製し、トップクラウンやサイドクラウン、プリム等を形成して麦わら帽子の如き形状に仕上げる技術が示されている。
【０００３】
また、特許文献２には、ブレードを巻回しながら帽子を形成する技術に加え、帽子を所望の形状に維持するべく、ブレードを構成する紐状の素材として形状保持モノフィラメントを使用する技術も示されている。
【先行技術文献】
【特許文献】
【０００４】
【特許文献１】実開平０６−０１２４３３号公報
【特許文献２】特開２００５−０１５９６０号公報
【発明の概要】
【発明が解決しようとする課題】
【０００５】
ところで特許文献１、２に記載の帽子は、螺旋状に巻き回されたブレードが隙間なく重なるように縫製されている。またブレードを形成する紐状の素材も目が詰まった状態で編まれている。このため、編まれた紐状の素材同士の間に僅かな隙間（紐状となる素材の外形に対して小さい隙間）ができるとはいっても、通気性はそれ程よいわけではない。このため、帽子の内側に熱がこもりやすくなるうえ、こもった熱で頭部に汗をかきやすくなり、不快に感じることがあった。
【０００６】
本発明はこのような問題点を解決することを課題とするものであり、帯状部材をまき回してこれらを結合して形成する帽子において、従来に比して通気性がよく、快適に使用することが可能な帽子を提供することを目的とする。
【課題を解決するための手段】
【０００７】
本発明は、帯状部材をまき回して長手縁部でこれらを結合して、着用者の頭部上方を覆うトップクラウンと、該トップクラウンに結合するとともに着用者の頭部を周回するサイドクラウンと、該サイドクラウンに結合するプリムとを形成してなる帽子であって、前記帯状部材は、少なくとも前記サイドクラウンの一部を構成する目の詰まった第一帯状部材と、長手方向に複数の開口を有するとともに該サイドクラウンの残部を構成する第二帯状部材と、を含み、前記第二帯状部材は、横断面形状が扁平状になる紐材を編んで前記開口を形成してなり、前記第二帯状部材は、該第二帯状部材における両側の長手縁部となる右側縁部及び左側縁部と、前記開口が長手方向に並ぶ中間部とを有し、編まれた前記紐材は、前記右側縁部に向かって斜めに延在し該右側縁部で折り返された後に前記左側縁部に向かって斜めに延在する第一部分と、前記第一部分に連結するとともに前記左側縁部に向かって斜めに延在し該左側縁部で折り返された後に前記中間部に向かって斜めに延在する第二部分と、前記第二部分に連結するとともに前記中間部に向かって斜めに延在し該中間部の左側端部で折り返された後に前記左側縁部に向かって斜めに延在する第三部分と、前記第三部分に連結するとともに前記左側縁部に向かって斜めに延在し該左側縁部で折り返された後に前記右側縁部に向かって斜めに延在する第四部分と、前記第四部分に連結するとともに前記右側縁部に向かって斜めに延在し該右側縁部で折り返された後に前記中間部に向かって斜めに延在する第五部分と、前記第五部分に連結するとともに前記中間部に向かって延在し該中間部の右側端部で折り返された後に前記右側縁部に向かって斜めに延在する第六部分と、を備える帽子である。
【００１０】
そして前記サイドクラウンは、横断面形状が楕円状であることが好ましい。
【００１１】
更に、着用者の頭部に当接して前記トップクラウンと該頭部との間に隙間を区画する内側部材を備え、該内側部材は、前記サイドクラウン又は前記プリムに対して着脱可能に保持されることが好ましい。
【発明の効果】
【００１２】
本発明の帽子は、長手方向に複数の開口を有する第二帯状部材でサイドクラウンの残部を構成していて、この開口を通して空気を出入りさせることができる。このため、目の詰まった帯状部材のみを使用した従来の帽子に比して通気性がよく、快適に使用することができる。
【図面の簡単な説明】
【００１３】
【図１】本発明に従う帽子の一実施形態を示す表側の斜視図、及び部分拡大図である。
【図２】第二帯状部材について説明するための図であって、（ａ）は編まれた複数の紐材を表側から示した図であり、（ｂ）は（ａ）における１本の紐材（ハッチングを付して示した紐材）のみを示した図である。
【図３】（ａ）は図１に示す帽子の裏側を示した底面図であり、（ｂ）は（ａ）に示すＢ−Ｂに沿う断面図である。
【図４】内側部材を着脱するための部材の変形例を示した図である。
【図５】内側部材の変形例を示した図である。
【発明を実施するための形態】
【００１４】
以下、図面を参照して、本発明に従う帽子の一実施形態について説明する。なお、本明細書等における「前」、「後」、「上」、「下」の関係は、着用者が頭に被った状態における着用者にとっての位置関係をいう。
【００１５】
図１の符号１は、本発明に従う帽子の一実施形態を示す。本実施形態の帽子１は、トップクラウン２と、サイドクラウン３、プリム４を備えている。帽子１の裏側には、図３に示すように、裏地５と内側部材６が設けられている。
【００１６】
トップクラウン２は、着用者の頭部上方を覆うものであり、サイドクラウン３は、着用者の頭部側方を取り囲むように頭部を周回するものである。サイドクラウン３は、トップクラウン２の外縁に結合していて、全体として概略伏せ椀状になるように形作られている。本実施形態のサイドクラウン３は、図３（ａ）に示すように、横断面形状が楕円状になるように（前後方向の長さが左右方向よりも長い楕円状になるように）形作られている。またサイドクラウン３の前方には、図１に示すように両側部を内側に凹ませるようにしてフロントピンチを設けている。なお、フロントピンチの有無は任意であって、着用者の好み等に応じて適宜設ければよい。
【００１７】
プリム４は、サイドクラウン３の下端部から外側に突き出すようにして全周に亘って設けられている。またプリム４は全周に亘って設けられていなくても（周方向の一部に設けられていても）よく、例えば前方のみに設けてもよい。
【００１８】
トップクラウン２、サイドクラウン３、及びプリム４は、帯状部材７により形成されている（図１（ｂ）参照）。本実施形態の帯状部材７は、第一帯状部材８と第二帯状部材９の２種類で構成されている。第一帯状部材８と第二帯状部材９は、ともに同一の素材である紐材１０（本実施形態では横断面形状が扁平状になる麦わら）を使用する一方、編み方を変えることによって異なる種類としている。
【００１９】
第一帯状部材８は、扁平状になる紐材１０を、その幅の広い側が第一帯状部材８の表裏となるように（紐材１０の幅の狭い側が第一帯状部材８の厚みとなるように）使用して、複数本の紐材１０が互いに交差して目が詰まるように編まれている。なお、本明細書等で「目が詰まる」とは、第一帯状部材８を構成する編まれた紐材１０同士の間に隙間がない（若干の隙間があっても、紐材１０の幅に対して隙間は小さい）ことをいう。なお、このように目の詰まる編み方は従前のブレードと同様であるため、詳細な説明は省略する。
【００２０】
第二帯状部材９は、長手方向に複数の開口１１を有している。本実施形態の第二帯状部材９は、第一帯状部材８と同様に、扁平状になる紐材１０を、その幅の広い側が第二帯状部材９の表裏となるように（紐材１０の幅の狭い側が第二帯状部材９の厚みとなるように）使用して編まれている。
【００２１】
図２（ａ）は、紐材１０を編んで形成した第二帯状部材９を表側から示した図である。本実施形態の第二帯状部材９は、１１本の紐材１０（紐材１０＜１＞〜紐材１０＜１１＞）を使って編まれている。なお、編んでいる途中で紐材１０の長さが足りなくなると、短くなった元の紐材１０を補うように新たな紐材１０を編み込んでいるため、この部位において紐材１０の数は変動する。ここで図２（ａ）において塗りつぶして示した三角形状の部位は、開口１１を示している。またハッチングを付して示した部位は、或る１本の紐材１０（紐材１０＜１＞）を示している。そして図２（ｂ）は、そのハッチングを付して示した紐材１０＜１＞のみを示した図である。
【００２２】
ここで、編まれた紐材１０＜１＞について詳細に説明する。なお図２に示すように、第二帯状部材９の両側の長手縁部を右側縁部１２と左側縁部１３と称し、開口１１が向かい合わせになるようにして長手方向に並ぶ部位を中間部１４と称することとする。
【００２３】
紐材１０＜１＞は、図２（ｂ）に示すように、右側縁部１２に向かって斜めに延在し右側縁部１２で折り返された後に左側縁部１３に向かって斜めに延在する第一部分１５と、第一部分１５に連結するとともに左側縁部１３に向かって斜めに延在し左側縁部１３で折り返された後に中間部１４に向かって斜めに延在する第二部分１６と、第二部分１６に連結するとともに中間部１４に向かって斜めに延在し中間部１４の左側端部で折り返された後に左側縁部１３に向かって斜めに延在する第三部分１７と、第三部分１７に連結するとともに左側縁部１３に向かって斜めに延在し左側縁部１３で折り返された後に右側縁部１２に向かって斜めに延在する第四部分１８と、第四部分１８に連結するとともに右側縁部１２に向かって斜めに延在し右側縁部１２で折り返された後に中間部１４に向かって斜めに延在する第五部分１９と、第五部分１９に連結するとともに中間部１４に向かって延在し中間部１４の右側端部で折り返された後に右側縁部１２に向かって斜めに延在する第六部分２０と、を備える。
【００２４】
本実施形態の第二帯状部材９を構成する１１本の紐材１０は、編まれた状態が全て図２（ｂ）に示す紐材１０＜１＞と同様であって、編んでいく進行方向に向かって紐材１０＜１＞〜紐材１０＜１１＞の順で１本ずつずれていき、紐材１０＜１１＞の次には再び紐材１０＜１＞が出現するように編まれている。このようにして編むことにより、図２（ａ）に示すように中間部１４を除く部位においては、第一帯状部材８と同様に目の詰まった状態になる一方、中間部１４においては、１辺の長さが紐材１０の幅と略同等になる三角形状の開口１１を、図示したように向かい合わせの状態で長手方向に並ぶようにして設けることができる。
【００２５】
なお紐材１０は、本実施形態で採用した麦わらに限られず、その他の植物をはじめとする天然由来の素材や、ナイロンなどの合成樹脂由来の素材などでもよい。また第二帯状部材９に開口１１を設ける手段も適宜変更可能であって、上記とは別の編み方で第二帯状部材９に開口１１を設けてもよいし、メッシュ生地を使用して第二帯状部材９としてもよい。
【００２６】
そして図１に示すように、トップクラウン２とサイドクラウン３の上部３ａは、第一帯状部材８を螺旋状にまき回しつつ隣り合う第一帯状部材８が隙間なく重なるようにした状態で、第一帯状部材８の長手縁部を縫製することによって形成されている。またサイドクラウン３の下部３ｂとプリム４も、第一帯状部材８を螺旋状にまき回しつつ隣り合う第一帯状部材８が隙間なく重なるようにした状態で、第一帯状部材８の長手縁部を縫製することによって形成されている。そしてサイドクラウン３の上部３ａと第二帯状部材９の右側縁部１２を縫製し、サイドクラウン３の下部３ｂと第二帯状部材９の左側縁部１３を縫製してこれらを結合させることにより、サイドクラウン３に開口１１が複数設けられた帽子１の基本部分を形成することができる。
【００２７】
このような帽子１の基本部分に対し、図３に示すようにプリム４の裏側には裏地５が縫製されている。裏地５は、濃色系（例えば黒、焦げ茶、紺等）の色彩となる生地によって形成されている。裏地５に使用する生地に特に限定はなく、例えば動物性或いは植物性の天然繊維（例えば綿、麻等）や合成繊維（例えば、ポリエステル、ナイロン、ポリウレタン等）、或いはこれらを混紡した繊維を使用して織布や不織布として構成したものを採用することができる。
【００２８】
内側部材６は、図３（ｂ）に示すように、本実施形態ではメッシュ生地で伏せ椀状になるように形成された本体部２１を備えている。本体部２１は、図３（ｂ）に示すように最もトップクラウン２に近づいた状態でも、トップクラウン２には接触しない大きさで形成されている。すなわち帽子１を着用した際、頭部とトップクラウン２との間には隙間ができるようにしている。
【００２９】
また内側部材６における本体部２１の下部内周面には、帯状のスベリ２２が設けられている。スベリ２２は、一般的に使用される生地を使用して形成してもよいし、冷感を呈する生地で形成してもよい。ここで冷感を呈する生地とは、肌が触れた際に肌の熱を生地に素早く移動させることができる熱伝導率や熱拡散率が高い生地（接触冷感に優れる生地）や、肌の汗を吸い取ったり、水に浸したりして生地に水分を含ませ、その水分を素早く蒸発させて気化熱を急速に奪うことができる生地を意味する。具体的には、キュプラとポリエステルで構成される複合繊維（例えば、旭化成株式会社製のペアクール（登録商標）等）を使用したもの、ポリエステルとエバールとの複合繊維（例えば株式会社クラレ製のソフィスタ（登録商標）等）を使用したもの、ポリエチレン繊維（例えば東洋紡績株式会社のアイスマックス（登録商標）等）、マイカ鉱石を蒸着したナイロンとレーヨンを組み合わせたもの、中空糸のように繊維自体に空隙を持たせたり、隣接する繊維間に空隙を持たせたりして毛細管現象を発現させるもの（例えば帝人株式会社製のウェーブロン（登録商標）等）を挙げることができる。
【００３０】
帽子１の縫製は、各種の糸を使用することが可能であるが、スベリ２２を縫製する際は消臭効果を有する消臭糸を使用することが好ましい。また消臭糸に替えて、又は併用して、消臭効果を有する帯状の消臭テープ（デオドラントテープ）をスベリ２２の裏側に設けてもよい。このようにスベリ２２の裏側に消臭テープを設けることにより、スベリ２２による水分を吸収する効果を維持しつつ、消臭効果を発揮させることができる。
【００３１】
内側部材６は、裏地５に対して着脱することが可能である。本実施形態では図３（ｂ）に示すように、裏地５の内縁部と内側部材６の外縁部に複数の点ファスナー２３（一方が雄型で他方が雌型のスナップボタン）を設けていて、これにより帽子１に対して内側部材６を、取り付けたり取り外したりすることができる。
【００３２】
なお、内側部材６を着脱できるものとしては、例えば図４（ａ）に示すような線ファスナー２４（内側部材６を取り付ける相手側と内側部材６のそれぞれにエレメント（務歯）を線状に並べて配設し、これらの間に設けたスライダーを動かすことで、内側部材６と相手側とのエレメントが結合又は離反する）を設けてもよいし、図４（ｂ）に示すような面ファスナー２５（一方が輪状部材を並べたシートで他方が爪状部材を並べたシート）を設けてもよい。なお内側部材６は、図４（ａ）、（ｂ）に示すように、裏地５を介さずにプリム４に対して直接着脱できるようにしてもよいし、サイドクラウン３に対して着脱できるようにしてもよい。
【００３３】
このように構成される帽子１を被ると、上述したように内側部材６が頭部に当接するため、トップクラウン２と頭部との間には、図３に示すように隙間が生じることになる。またサイドクラウン３には、第二帯状部材９に含まれる開口１１があいている。このため、帽子１を被った際に頭部の熱は、上述した隙間に放出された後、開口１１を通過する空気によって帽子１の外側に排出される。すなわち本実施形態の帽子１によれば、頭部の熱が帽子１の内側にこもりにくくなる効果が得られる。
【００３４】
また本実施形態の帽子１によれば、スベリ２２によって頭部の汗を吸収して湿気を取り除くことができるため、不快感を抑えることができる。特に、冷感を呈する生地でスベリ２２を形成する場合は、頭部の熱をスベリ２２に素早く移動させて冷たく感じさせたり、スベリ２２で吸収した汗が蒸発する際の気化熱によって冷感を与えたりすることができるため、不快感を取り除くことができる。更に、本実施形態の裏地５は濃色系であって、裏地５で紫外線を吸収することができるため、地面から照り返す太陽光を吸収して顔への紫外線の影響を抑える効果も得られる。また上述したように本実施形態のサイドクラウン３は、横断面形状が楕円状になるように（前後方向の長さが左右方向よりも長くなるように）形作られている。一般にヒトの頭部は前後方向が左右方向よりも長いため、サイドクラウン３を楕円状とすることによって、頭部に被った際のフィット性がよくなる。そして、暑い屋外で帽子１を被ったときなどは、内側部材６を取り外して洗濯することができるため、清潔さを保つことができる。
【００３５】
内側部材６は、図３に示した実施形態ではメッシュ生地で形成していたが、これに限られるものではなく、例えば図５に示すような十字状になる内側部材２６でもよい。このような十字状の内側部材２６を使用する場合には、頭部との接触面積が減るため、髪型が崩れにくくなる効果が得られるうえ、頭部に対して部分的に接触するため、内側部材２６と頭部との間での熱のこもりを極力抑えることができる。また図示は省略するが、内側部材を頭部の後方（首の後方）や顔の側方を覆う程度に広げれば、日除けの効果を持たせることもできる。
【００３６】
以上、本発明の一実施形態について説明したが、本発明はかかる特定の実施形態に限定されるものではなく、上記の説明で特に限定しない限り、特許請求の範囲に記載された本発明の趣旨の範囲内において、種々の変形・変更が可能である。また、上記の実施形態における効果は、本発明から生じる効果を例示したに過ぎず、本発明による効果が上記の効果に限定されることを意味するものではない。
【００３７】
例えば本実施形態において、トップクラウン２とサイドクラウン３の上部３ａ、及びサイドクラウン３の下部３ｂとプリム４は、１本の第一帯状部材８を螺旋状にまき回しつつ隣り合う第一帯状部材８が隙間なく重なるようにした状態で、第一帯状部材８の長手縁部を縫製することによって形成されているが、円環状にまき回した第一帯状部材８を複数準備し、それらを幅方向にずらしつつ長手縁部で縫製するようにしてもよい。またサイドクラウン３において第二帯状部材９を設ける位置も任意であり、トップクラウン２との連結部に配置してもよいしプリム４との連結部に配置してもよい。また本実施形態の第二帯状部材９は、サイドクラウン３を一周するものであったが、周方向に部分的に設けてもよいし二周以上（複数の第二帯状部材９が幅方向（サイドクラウン３の上下方向）に隣接していてもよいし、間隔をあけていてもよい）設けてもよい。
【符号の説明】
【００３８】
１：帽子
２：トップクラウン
３：サイドクラウン
３ａ：上部
３ｂ：下部
４：プリム
５：裏地
６：内側部材
７：帯状部材
８：第一帯状部材
９：第二帯状部材
１０：紐材
１１：開口
１２：右側縁部
１３：左側縁部
１４：中間部
１５：第一部分
１６：第二部分
１７：第三部分
１８：第四部分
１９：第五部分
２０：第六部分
２１：本体部
２２：スベリ
２３：点ファスナー
２４：線ファスナー
２５：面ファスナー
２６：内側部材
【要約】
【課題】従来に比して通気性がよく、快適に使用することが可能な帽子を提供する。
【解決手段】本発明の帽子１は、帯状部材７をまき回して長手縁部でこれらを結合して、着用者の頭部上方を覆うトップクラウン２と、トップクラウン２に結合するとともに着用者の頭部を周回するサイドクラウン３と、サイドクラウン３に結合するプリム４とを形成するものであって、帯状部材７は、少なくともサイドクラウン３の一部を構成する目の詰まった第一帯状部材８と、長手方向に複数の開口１１を有するとともにサイドクラウン３の残部を構成する第二帯状部材９と、を含む。
【選択図】図１【図１】
0006894614.tif 000002
【図２】
0006894614.tif 000003
【図３】
0006894614.tif 000004
【図４】
0006894614.tif 000005
【図５】
0006894614.tif 000006